(57)【要約】【課題】変調方式の異なる振幅変調ＡＭ放送と周波数変調のＦＭ放送で同一内容の放送をしているとき、変更方式が異なる同一番組への変更ができるラジオ受信機に関するものである。【解決手段】マイクロプロセッサは第１チューナの受信状態を切り替えるかの閾値を有し、この閾値より第１チューナの電界強度が低いとき、放送局データベースよりラジオバンドが異なりかつ同一放送の周波数を検索し、第２チューナの変更させ、電界レベル比較器で電界強度を検索し、第２チューナーに変換させ、電界レベル比較器で電界レベルを比較した後、電界レベルの高い第１または第２チューナにラジオバンドを切り替える構成により、本発明は同一番組を変調方式が異なるラジオバンド間の変更を自動ででき、聴いている番組を途切れずに聴くことがきるという効果を奏するものである。【選択図】図１
2011211585.tif 000002
【特許請求の範囲】
【請求項１】
ＡＭ放送またはＦＭ放送のいずれかのらい尾バンドを受信する第１チューナと、この第１のチューナーが受信しているラジオバンドと変調方式が異なるＦＭ放送またはＡＭ放送のいずれかのラジオバンドを受信する第２チューナと、
前記第１チューナと前記第２チューナの電界レベルを比較する電界レベル比較器と
放送局の周波数データを保持する放送局データベースと、前記前記第１チューナと前記第２チューナ、前記放送局データベースおよび電界強度レベル比較器と接続し電界強度の高い前記第１チューナと前記第２チューナのいずれかを選択し判断するマイクロプロセッサを備え、
このマイクロプロセッサは
前記第１チューナの受信状態を切り替えるかの閾値を有し、
この閾値より第１チューナの電界強度が低いとき、前記放送局データベースよりラジオバンドが異なりかつ同一放送の周波数を検索し、第２チューナの変更させ、前記電界レベル比較器で電界強度を検索し、第２チューナーに変換させ、前記電界レベル比較器で電界レベルを比較した後、電界レベルの高い第１または第２チューナにラジオバンドを切り替えなるラジオ受信機。
【請求項２】
マイクロプロセッサは電界レベルの高い第１または第２チューナにラジオバンドを切り替える信号を送付するもので、セレクタを介して切り替える請求項１に記載のラジオ受信機。
【発明の詳細な説明】
【技術分野】
【０００１】
変調方式の異なる振幅変調のＡＭ放送と周波数変調のＦＭ放送とで同一内容の番組を放送をしているときに、変調方式を切り替えるラジオ受信機に関するものである。
【背景技術】
【０００２】
ＡＭ放送からＡＭ放送や、ＦＭ放送からＦＭ放送のように同一の番組内容の受信を行うために、受信周波数が異なる２つの受信機で放送を受信し電界強度の大きい受信機に切り替えるラジオ受信機が知られている（例えば特許文献１参照）。
【先行技術文献】
【特許文献】
【０００３】
【特許文献１】特開平４−３４１０２１号公報
【発明の概要】
【発明が解決しようとする課題】
【０００４】
しかしながら、上述の背景技術ではＡＭ放送間、または、ＦＭ放送間のように同一変調方式の同一番組の変更は可能であったが、「ＡＭ放送からＦＭ放送」または「ＦＭ放送からＡＭ放送」のようにラジオバンドの変調方式の異なる同一番組変更はできないという課題を有していた。
【０００５】
本発明は同一番組を変調方式が異なるラジオバンド間の変更を自動ででき、聴いている番組を途切れずに聴くことがきるラジオ受信機を提供することを目的とする。
【課題を解決するための手段】
【０００６】
本発明はＡＭ放送またはＦＭ放送のいずれかのらい尾バンドを受信する第１チューナと、この第１のチューナーが受信しているラジオバンドと変調方式が異なるＦＭ放送またはＡＭ放送のいずれかのラジオバンドを受信する第２チューナと、
前記第１チューナと前記第２チューナの電界レベルを比較する電界レベル比較器と
【０００７】
放送局の周波数データを保持する放送局データベースと、前記前記第１チューナと前記第２チューナ、前記放送局データベースおよび電界強度レベル比較器と接続し電界強度の高い前記第１チューナと前記第２チューナのいずれかを選択し判断するマイクロプロセッサを備えた構成を有している。
【発明の効果】
【０００８】
本発明は同一番組を変調方式が異なるラジオバンド間の変更を自動ででき、聴いている番組を途切れずに聴くことがきるという効果を奏するものである。
【図面の簡単な説明】
【０００９】
【図１】本発明の実施の形態１におけるラジオ受信機のブロック図
【図２】本発明の実施の形態１におけるラジオ受信機動作を説明する図
【図３】本発明の実施の形態２におけるラジオ受信機のブロック図
【図４】本発明の実施の形態２におけるラジオ受信機の動作を説明する図
【発明を実施するための形態】
【００１０】
（実施の形態１）
以下、本発明の実施の形態１におけるラジオ受信機について、図面を用いて説明する。
図１は、本発明の実施の形態１におけるラジオ受信機のブロック図である。
図１において、ラジオ受信機１は、車載オーディオ装置やナビゲーション装置である。
【００１１】
図１において１０は第１チューナで、ＡＭ放送またはＦＭ放送のいずれかのラジオ電波を受信するものである。
２０は第２チューナであり第１チューナが変換しているラジオ電波と変調方式の異なるＦＭ放送またはＡＭ放送のいずれかのラジオ電波を受信するものである。また、第１、第２チューナ１０、２０は受信した電波を電圧に変化して電界強度を算出する。
【００１２】
３０は電界レベル比較器であり第１チューナ１、第２チューナ２０と接続し、電界レベルを比較するものである。
【００１３】
この電界レベル比較器３０は、ＦＭ放送の電界強度とＡＭ放送の受信強度と比較するため、ＦＭ放送の電界強度にＡにα（ｄＢｕＶ）の定数を加算してＡ＋α（ｄＢｕＶ）として、電界強度を比較し、電界強度が強いチューナをマイクロプロセッサ５０に出力する。この時、定数αは任意に調整可能な値とするが３０（ｄＢｕＶ）が望ましい。
【００１４】
４０は放送局データベースで、同一の番組が放送されている変調方式の異なるＡＭ放送局とＦＭ放送局を記録している。
【００１５】
５０はマイクロプロセッサで、第１チューナ１０、第２チューナ２０、電界レベル比較器３０、データベース４０、および、セレクタ６０と接続し、最適なチューナを第１第２のチューナのいずれかを比較するものである。
【００１６】
この最適なチューナを判断するために、マイクロプロセッサ５０は第１チューナ１０で受信した電界強度と比較するため、閾値はラジオの受信状態が悪くなり放送内容がノイズに埋もれて聴きづらくなる値、例えば、信号対雑音比（Ｓ／Ｎ比）が２０ｄＢという値を有している。
【００１７】
このマイクロプロセッサ５０に第１チューナ１０で受信した電界強度が入力されると、
信号対雑音比（Ｓ／Ｎ比）が２０ｄＢと比較し、電界強度が閾値より高い場合は、マイクロプロセッサ５０は現在受信している放送局（以後「受信局」という）をそのまま報知手段８０から出力する。
【００１８】
また、マイクロプロセッサ５０内に記録している閾値より電界強度が低い場合は、マイクロプロセッサ５０から放送局データベース４０に、同一の内容を放送している変調方式の異なる放送局（以後「代替局」と呼ぶ）が記録されているかを検索する。もし、代替局がなければ、第１のチューナを選択し、報知部８０より出力する。
【００１９】
代替局があれば、マイクロプロセッサ５０は第２チューナー２０に代替局の受信を指示する。この第２チューナが代替局の受信を始めるとその電界強度を電界レベル比較器３０に入力し、受信局の電界強度に常数α（ｄＢｕＶ）を加算した電界強度と代替局の電界強度Ｂ（ｄＢｕＶ）を比較し、電界強度が高いチューナをマイクロプロセッサ５０に出力する。すなわち、第１チューナ１０の電界強度が第２チューナ２０で受信した電界強度より強い場合、マイクロプロセッサ５０は第１チューナ１０の音声や音楽を再生する。
【００２０】
逆に第２チューナ２０で受信した電界強度が第１チューナ１０より強い場合はマイクロプロセッサ５０は第２チューナ２０で受信している代替局にセレクタ６０を切り替え音声や音楽を再生する。
以上のように構成されたラジオ受信機１について、図２を用いてその動作を説明する。図２は本発明の実施の形態１におけるラジオ受信機動作説明のためのフロー図である。
ここで、第１チューナ１０で受信している受信局の放送を報知手段８０を通じて車内に再生し、第２チューナ２０は動作していない状態とする。
【００２１】
現在、第１チューナ１０は電界強度をマイクロプロセッサ５０に通知する。マイクロプロセッサ５０は電界強度の閾値と入力された電界強度を比較する。第１チューナ１０で受信している電界強度が閾値を上回っている場合（Ｓ２１、ＮＯ）はマイクロプロセッサ５０からセレクタ６０に対し第１チューナ１０での音声や音楽の再生を継続する。
【００２２】
また、ステップ２１に戻ってマイクロプロセッサ５０は電界強度の閾値より入力された電界強度が以下であれば（Ｓ２１、ＹＥＳ）、マイクロプロセッサ５０はデータベース４０に対して第１チューナ１０で受信している同一の放送内容を放送している変調方式の異なる代替局があるかを確認する。
【００２３】
次にデータベース４０に代替局が無い場合は、マイクロプロセッサ５０はセレクタ６０に対し第１チューナ１０で受信している放送局の受信を継続する（Ｓ３１、ＮＯ）。
【００２４】
また、ステップ３１に戻ってデータベース４０に同一放送内容の代替局が有る場合は（Ｓ３１、ＹＥＳ）、マイクロプロセッサ５０は第２チューナ２０に代替局を受信させる。
【００２５】
次に、電界レベル比較器３０は第１チューナ１０が受信している受信局の電界強度と第２チューナ２０が受信している代替局の電界強度を比較する。比較した結果は電界レベル比較器３０からマイクロプロセッサ５０に電界強度が強いチューナーを出力する。
【００２６】
マイクロプロセッサ５０は電界レベル比較器３０からの出力により第１チューナ１０が受信している受信局の電界強度が第２チューナ２０の受信している代替局の電界強度を下回っていると判断すると（Ｓ４１、ＹＥＳ）、マイクロプロセッサ５０は第２チューナ２０が受信している代替局へ切り替えるためにセレクタ６０を第２チューナ２０に切り替える指示をする。セレクタ６０は第２チューナ２０で受信している代替局の音声や音楽をオーディオアンプ７０を介して報知手段８０にて音声出力させる。
【００２７】
また、ステップ４１に戻り、第１チューナ１０が受信している受信局の電界強度が第２チューナ２０の受信している代替局の電界強度を上回っている場合は、マイクロプロセッサ５０は第１チューナ１０の受信を継続する（Ｓ４１、ＮＯ）。  
【００２８】
以上のように、本実施の形態１のラジオ受信機１によれば、第１チューナ１０の受信している電界強度とマイクロプロセッサ５０内に記録している閾値を比較し、電界強度が閾値より低い場合は、同一放送を放送している変調方式の異なる代替局のデータの有無をデータベースから読み出し、代替局があり、かつ、代替局の電界強度が受信局の電界強度より高い場合は代替局を受信しているチューナーに自動で切り替わることにより、音声や音楽が途切れることなく自動切り替えができユーザーは同一番組内容をそのまま聞き続けることができるという効果を奏する。
【００２９】
（実施の形態２）
以下、本発明の実施の形態２のラジオ受信機１について説明する。
【００３０】
図３は本発明の実施の形態２におけるラジオ受信機１のブロック図である。また、図４は本発明の実施の形態２におけるラジオ受信機の動作説明のためのフロー図である。
なお、実施の形態１と同様の構成を示すものについては同一の符号を付しその説明を省略
し相違点について説明する。
【００３１】
実施の形態１と構成と異なる構成は、第１チューナ１０とオーディオアンプ７０を接続する。音声や音楽は第１チューナーをＦＭ放送からＡＭ放送に切り替えて車内に再生する。第２チューナ２０は代替局検索専用チューナとして動作させる。
【００３２】
本発明の第２の実施の形態のラジオ受信機１を図４用いてその動作を説明する。ステップ２１〜ステップ４１までは実施の形態１と同じである。実施の形態１と異なるステップはＳ５２である。そのためステップ２１からステップ４１までは実施の形態１と同様の動作であるため、ステップ４１でＹＥＳとなってからのステップ５２の動作の説明を行う。
【００３３】
ステップ４１で代替局の電界強度が受信局より高い場合は（Ｓ４１、ＹＥＳ）、マイクロプロセッサ５０は第１チューナ１０の受信局の受信周波数を代替局の受信周波数に切り替える（Ｓ５２）。
【００３４】
この構成により、第２チューナ２０は代替局検索専用チューナとして機能させ、マイクロプロセッサ５０がマイクロプロセッサ５０内に記録している電界強度の閾値は第１チューナ１０が受信している受信局だけの比較となる。
【００３５】
本実施の形態２のラジオ受信機１によれば、現在受信しているチューナーの受信周波数を代替局の受信周波数に切り替えることで簡易な構成となり、ユーザーは同一番組をそのまま聞き続けることができる効果を奏する。
【符号の説明】
【００３６】
１  ラジオ受信機
１０  第１チューナ
２０  第２チューナ
３０  電界レベル比較器
４０  受信局データベース
５０  マイクロプロセッサ
６０  セレクタ
７０  オーディオアンプ
８０  報知手段
【図１】
2011211585.tif 000003
【図２】
2011211585.tif 000004
【図３】
2011211585.tif 000005
【図４】
2011211585.tif 000006